(57)【特許請求の範囲】
【請求項１】
マンホール蓋の蓋板(5)に形成された貫通孔(18)の下方に、下端にフック(14a)を備えた懸垂錘(21)とこの懸垂錘(21)の上端から９０度ないし１８０度の間の角度で貫通孔(18)の下方に延びる閉塞板(14b)とを備えた振子形フック(14)が、水平軸まわりに自由揺動可能に装着され、懸垂錘(21)の自重により閉塞板(14b)を上方に付勢して貫通孔(18)の下面を閉鎖すると共に、フック(14a)がマンホール蓋の蓋枠(2)の内周に形成した係止突起(19)の下方に間隙をもって差し込まれるマンホール蓋における蓋板の貫通孔の閉止構造において、
振子形フック(14)は、閉塞板(14b)との間に空間を設けて配置された永久磁石(23)を備え、振子形フック(14)の永久磁石(23)と蓋板(5)の下面に設けた吸着面(25)とが対向する位置関係で設けられている
ことを特徴とする、マンホール蓋における蓋板の貫通孔の閉止構造。
【請求項２】
請求項１に記載のマンホール蓋における蓋板の貫通孔の閉止構造において、振子形フック(14)に備えた永久磁石(23)に代えて吸着面(25)が設けられ、蓋板(5)の下面に設けた吸着面(25)に代えて永久磁石(23)が設けられている、マンホール蓋における蓋板の貫通孔の閉止構造。
【請求項３】
マンホール蓋の蓋板(5)に形成された貫通孔(18)の下方に、下端にフック(14a)を備えた懸垂錘(21)とこの懸垂錘(21)の上端から９０度ないし１８０度の角度で貫通孔(18)の下方に延びる閉塞板(14b)とを備えた振子形フック(14)が、水平軸まわりに自由揺動可能に装着され、懸垂錘(21)の自重により閉塞板(14b)を上方に付勢して貫通孔(18)の下面を閉鎖すると共に、フック(14a)がマンホール蓋の蓋枠(2)の内周に形成した係止突起(19)の下方に間隙をもって差し込まれるマンホール蓋における蓋板の貫通孔の閉止構造において、
振子形フック(14)は、閉塞板(14b)との間に空間を設けて配置された永久磁石(23)を備え、フック(14a)の根元部分に設けた永久磁石(23)と、係止突起(19)の端面に設けた吸着面(25)とが対向する位置関係で設けられている
ことを特徴とする、マンホール蓋における蓋板の貫通孔の閉止構造。
【請求項４】
請求項３に記載のマンホール蓋における蓋板の貫通孔の閉止構造において、フック(14a)の根元部分に設けた永久磁石(23)に代えて吸着面(25)が設けられ、係止突起(19)の端面に設けた吸着面(25)に代えて永久磁石(23)が設けられている、マンホール蓋における蓋板の貫通孔の閉止構造。
【発明の詳細な説明】
【０００１】
【発明の属する技術分野】
この発明は、道路などに設けられるマンホール蓋の蓋板の構造に関するもので、特に蓋板に設けられるレバー挿通孔などの貫通孔の閉止構造に関するものである。
【０００２】
【従来の技術】
マンホール蓋は、地中施設の修理点検の際の作業者の出入口として地表面に設けられている。マンホールの地表部分には、蓋枠とこれを閉鎖する蓋板とで形成されたマンホール蓋が装着されており、マンホールに作業者が出入りするときは、蓋板を開けなければならない。マンホール蓋の蓋板は、蓋枠の上縁内周に形成した円錐面に、楔作用により強固に嵌合しており、この嵌合を外すためのてこレバーを挿通する貫通孔が蓋板の外周部に設けられている。
【０００３】
作業者は先端に両側に突出する係止ピンを備えたてこレバーをこのレバー挿通用の貫通孔に差し込み、差し込んだあとてこレバーを９０度回して係止ピンを蓋板の裏面に引っ掛け、この状態でマンホール枠の上縁を支点としててこレバーを倒すことにより、蓋板に強い上向きの力を作用させて、蓋板と蓋枠との嵌合を外し、ついでてこレバーを引き上げることにより蓋板を開く。
【０００４】
マンホール蓋の蓋板に設けた貫通孔は、土砂や雨水などがマンホール内に浸入してくるのを避けるために閉鎖しておくことがのぞましい。そこで上述したようなレバー挿通用の貫通孔などにおいては、その下方に懸垂錘によって上方に付勢された閉塞板を設けて、貫通孔を閉鎖するようにしている。閉塞板は図１ないし８に示すように、１２０度ないし１３５度の角度で下方に延びる懸垂錘２１を一体に備えており、この懸垂錘との間の部分で、蓋板の下面に設けた水平方向の軸まわりに自由揺動可能に枢着されている。
【０００５】
懸垂錘２１が引力により下方に引かれると、支点軸まわりの揺動によって閉塞板１４ｂが上方に付勢されて貫通孔１８の下面に密着し、貫通孔１８を閉鎖する。貫通孔１８にてこレバーの先端を差し込むと、閉塞板１４ｂが下方に押されて揺動するので、てこレバーの先端を貫通孔１８に差し込むことが可能である。
【０００６】
なお通常は、懸垂錘２１の先端にフック１４ａが形成されており、懸垂錘２１が下方に振れたときに、フック１４ａが蓋枠２の内周に形成した係止突起１９の下方に間隙をもって差し込まれる構造となっている。マンホールは例えば洪水のときに水が流れ込んだりして内圧が上昇することがある。マンホールの内圧が上昇して蓋板５の嵌合がその内圧に耐えられなくなると、蓋板５が突然跳ね上がって非常に危険である。このようなとき、フック１４ａが蓋板５の跳ね上がりを防止し、かつ蓋板５がフック１４ａと係止突起１９との間隙分だけ開いて内圧を逃がす。
【０００７】
【発明が解決しようとする課題】
閉塞板１４ｂには通常その上面に貫通孔１８に下方から嵌まり込む突起２４が設けてあり、この突起２４の上面が蓋板５の上面とほぼ同一高さになるようにしてある。しかしこの突起２４と貫通孔１８の内周の間には隙間が生ずるので、この隙間にどうしても土砂や雨水が溜まり、マンホール内へと浸入する。
【０００８】
そこでこの発明は、簡単な構造でマンホール蓋の蓋板に設けた貫通孔からマンホール内に土砂や雨水が浸入するのをより確実に防止することができる、簡単な構造で蓋板の開閉作業にも支障を生じない貫通孔の閉止構造を得ることを課題としている。
【０００９】
【課題を解決するための手段】
請求項１の発明に係るマンホール蓋における蓋板の貫通孔の閉止構造は、マンホール蓋の蓋板５に形成された貫通孔１８の下方に、下端にフック１４ａを備えた懸垂錘２１とこの懸垂錘２１の上端から９０度ないし１８０度の間の角度で貫通孔１８の下方に延びる閉塞板１４ｂとを備えた振子形フック１４が、水平軸まわりに自由揺動可能に装着され、懸垂錘２１の自重により閉塞板１４ｂを上方に付勢して貫通孔１８の下面を閉鎖すると共に、フック１４ａがマンホール蓋の蓋枠２の内周に形成した係止突起１９の下方に間隙をもって差し込まれるマンホール蓋における蓋板の貫通孔の閉止構造において、振子形フック１４は、閉塞板１４ｂとの間に空間を設けて配置された永久磁石２３を備え、振子形フック１４の永久磁石２３と蓋板５の下面に設けた吸着面２５とが対向する位置関係で設けられていることを特徴とするものである。
また、請求項２の発明に係るマンホール蓋における蓋板の貫通孔の閉止構造は、上記の永久磁石２３と吸着面２５とをそれぞれ逆側に設けた構造、すなわち、振子形フック１４に備えた永久磁石２３に代えて吸着面２５が設けられ、蓋板５の下面に設けた吸着面２５に代えて永久磁石２３が設けられていることを特徴とする構造である。
【００１０】
請求項３の発明に係るマンホール蓋における蓋板の貫通孔の閉止構造は、マンホール蓋の蓋板５に形成された貫通孔１８の下方に、下端にフック１４ａを備えた懸垂錘２１とこの懸垂錘２１の上端から９０度ないし１８０度の角度で貫通孔１８の下方に延びる閉塞板１４ｂとを備えた振子形フック１４が、水平軸まわりに自由揺動可能に装着され、懸垂錘２１の自重により閉塞板１４ｂを上方に付勢して貫通孔１８の下面を閉鎖すると共に、フック１４ａがマンホール蓋の蓋枠２の内周に形成した係止突起１９の下方に間隙をもって差し込まれるマンホール蓋における蓋板の貫通孔の閉止構造において、振子形フック１４は、閉塞板１４ｂとの間に空間を設けて配置された永久磁石２３を備え、フック１４ａの根元部分に設けた永久磁石２３と、係止突起１９の端面に設けた吸着面２５とが対向する位置関係で設けられていることを特徴とするものである。
また、請求項４の発明に係るマンホール蓋における蓋板の貫通孔の閉止構造は、上記請求項３の構造における永久磁石２３と吸着面２５とをそれぞれ逆側に設けた構造、すなわち、フック１４ａの根元部分に設けた永久磁石２３に代えて吸着面２５が設けられ、係止突起１９の端面に設けた吸着面２５に代えて永久磁石２３が設けられていることを特徴とする構造である。
【００１１】
上記構造では、懸垂錘２１の自重により、閉塞板１４ｂが貫通孔１８の下面に押接されたとき、永久磁石２３が吸着面２５に吸着し、この状態で永久磁石２３と吸着面２５とが強い力で引き合うため、閉塞板１４ｂが貫通孔１８の下面に強い力で押し付けられて、貫通孔１８を確実に閉鎖する。閉塞板１４ｂと貫通孔１８の下面との間にゴム質のガスケットを介在させるようにしておけば、貫通孔１８を永久磁石２３の磁力で密閉することができ、貫通孔１８からのマンホール内への土砂や水の浸入をより確実に防止できる。
【００１２】
【発明の実施の形態】
図１ないし図３はこの発明の第１実施例を示した図である。図１に示したマンホール蓋は、蓋枠となる内枠２の外周に外枠１を備え、内枠２は外枠１内で上下動及び若干遊動可能であり、内枠２と外枠１の関係位置をねじ装置３で調整することにより、内枠２の上面を地表面の高さや勾配に合わせて調整できる構造である。
【００１３】
内枠２の上端内周は、円錐内周面４となっており、また蓋板５の外周は同じ角度の円錐外周面６となっている。蓋板５は内枠２の円錐内周面４に嵌まり込んだ状態で内枠２の上面２ａと蓋板５の上面とが面一となった状態で嵌合されている。
【００１４】
蓋板５の外周側１ヶ所に、蓋板５を開ける際にてこレバーを差し込む貫通孔１８が開口している。この貫通孔１８に近接して、蓋板５の下面に外側支点ブラケット１２と内側支点ブラケット１３とが突接されている。外側支点ブラケット１２には内周側に向いて開口する外側ピン孔１２ａが形成され、内側支点ブラケット１３には水平方向に延びて一端が開放されかつ外側に向いて開いたピン溝１３ａが設けられている。ピン溝１３ａは断面横コ字形であり、奥端は半円弧状の端面となっている。このピン孔１２ａとピン溝１３ａとに振子形フック１４が懸吊されている。
【００１５】
振子形フック１４は、下端にフック１４ａを備えた懸垂錘２１と、懸垂錘２１の上端から略１２０度の角度で貫通孔１８の下方に延びる閉塞板１４ｂと、閉塞板１４ｂの側方に位置する磁石ホルダ２２とを一体に備えている。懸垂錘２１と閉塞板１４ｂとの間の位置には両側に突出する支点ピン１４ｃ、１４ｄが一体に設けられている。また閉塞板１４ｂの上面には貫通孔１８に緩く嵌挿される突起２４が一体に形成されており、その周囲の閉止面にはゴム質のガスケット２０が装着されている。磁石ホルダ２２には、上方を向く凹所が設けられており、この凹所に高さ調整ネジ２２ａと固定ネジ２２ｂとで永久磁石２３が固定されている。
【００１６】
支点ピンの一方１４ｃは外側支点ブラケットのピン孔１２ａに挿入され、他方１４ｄはその開放端からピン溝１３ａの奥端に挿入される。ピン溝１３ａの所定位置には、蓋板５の半径方向のボルト挿通孔１３ｂが設けられており、ボルト１５をボルト挿通孔１３ｂに挿入してナット１６で締結することにより、ピン溝１３ａ内での支点ピン１４ｄの位置を規定している。この状態で、振子形フック１４が蓋板５の半径方向の支点軸１７まわりに揺動自在に懸吊される。
【００１７】
てこレバー挿通用の貫通孔１８は、蓋板５の半径方向に細長い形状で、その外側端部に続く部分の蓋板５の肉厚は、略上半分が除去されて略下半分だけの肉厚となっている。内枠２の内周には、貫通孔１８の下方に対応する位置に内周側に突出する棒状の係止突起１９が一体に形成されている。懸垂錘２１が下方に垂下したとき、永久磁石２３がこれに対向する蓋板５の下面に吸着され、閉塞板１４ｂの閉止面に装着したガスケット２０が貫通孔１８の下面に当接して貫通孔１８を密閉し、かつこの状態で懸垂錘２１先端のフック１４ａが係止突起１９の下に間隙をもって進入する。
【００１８】
閉塞板１４ｂが貫通孔１８を閉鎖すると、その上面の突起２４が貫通孔１８に下方から挿入される。磁石ホルダ２２は、貫通孔１８と突起２４との間の隙間に溜まった土砂が磁石の吸着面に入り込まないように、閉塞板１４ｂとの間に空間を設けて配置されている。閉塞板１４ｂが貫通孔１８を閉鎖したときに永久磁石２３が蓋板５の裏面に密着するように、高さ調整ネジ２２ａで永久磁石２３の高さを調整して、貫通孔１８の閉止状態が強固に保持されるようにする。
【００１９】
貫通孔１８にてこレバーの先端を挿入すると、閉塞板１４ｂが押し下げられ、永久磁石２３が蓋板５の裏面から離隔し、懸垂錘２１のフック１４ａは係止突起１９の下方から退出する。そこでてこレバーを外側に向けて倒すと、貫通孔１８の外周部分の蓋板５の肉厚が上半部切除されている関係で、てこレバーが内枠２の上縁に当接し、これを支点とするてこ作用により、大きな上向きの力が蓋板５に作用して蓋板５と内枠２との嵌合が外れるから、その後てこレバーを引き上げて蓋板５を開く。
【００２０】
上記実施例では閉塞板１４ｂとは別個に磁石ホルダ２２を設けて、永久磁石２３を装着しているが、図４に示すように、閉塞板１４ｂの閉止面を一部広く設けて、その片隅の部分に永久磁石２３を装着することもできる。また、他の実施態様として、永久磁石２３を蓋板５の裏面側に設けることもでき、更に永久磁石２３を懸垂錘２１に設ける構造や、懸垂錘２１に対向する係止突起１９の端部に設ける構造なども可能である。要は閉塞板１４ｂが貫通孔１８を閉鎖したときに、振子形フック１４の一部と対向する部分を蓋板５または内枠２に設けて、その対向する部分の一方に永久磁石２３を設けてやればよい。
【００２１】
図５及び図６に示す第３実施例は、永久磁石２３を蓋板５の裏面に設けた例である。この第３実施例の振子形フック１４は、蓋板５の外周の接線と平行な方向の支点軸を備えている。懸垂錘２１のフック１４ａ及び閉塞板１４ｂは、懸垂錘２１から蓋板５の外周方向に延びるように設けられており、フック１４ａは蓋板５の半径方向に揺動して内枠２の内周に設けた係止突起１９の下方に浸入する。振子形フック１４は閉塞板１４ｂの側方に吸着面２５を備えており、蓋板５裏面のこの吸着面２５と対向する位置に永久磁石２３が固定されている。
【００２２】
図７及び図８は、懸垂錘２１のフック１４ａの根元部分に永久磁石２３を固定した構造の例を示した図である。振子形フック１４が下方に垂下した状態で、永久磁石２３が内枠２の内周に設けた係止突起１９の端面に吸着し、閉塞板１４ｂによる貫通孔１８の閉鎖状態を保持する。永久磁石２３を懸垂錘２１に固定するかわりに、これと対向する係止突起１９の端面に設けてもよい。
【図面の簡単な説明】
【図１】  マンホール蓋の要部の断面図
【図２】  第１実施例の振子型フックの平面図
【図３】  第１実施例の振子型フックの側面図
【図４】  第２実施例の振子型フックの平面図
【図５】  第３実施例の側面図
【図６】  第３実施例の平面図
【図７】  第４実施例の側面図
【図８】  図７のＡ部断面図
【符号の説明】
２  内枠（蓋枠）
５  蓋板
14b  閉塞板
18  貫通孔
21  懸垂錘
23  永久磁石
25  吸着面
【図１】
0004169430.tif 000002
【図２】
0004169430.tif 000003
【図３】
0004169430.tif 000004
【図４】
0004169430.tif 000005
【図５】
0004169430.tif 000006
【図６】
0004169430.tif 000007
【図７】
0004169430.tif 000008
【図８】
0004169430.tif 000009